(57)【特許請求の範囲】
【請求項１】
第１可動範囲と、前記第１可動範囲と隣り合う第２可動範囲とに亘って移動操作可能な移動操作体と、
前記移動操作体を操作して前記第１可動範囲から前記第２可動範囲に進入したときにその移動操作体を前記第１可動範囲に戻すように付勢し、非操作時の前記移動操作体を前記第１可動範囲内に位置させる操作復帰付勢手段と、
前記第２可動範囲内の検出位置に配置され、遊技状態を変化させる契機として前記移動操作体が前記検出位置に到達したことを検出する操作検出手段と、
少なくとも前記第１可動範囲内の前記移動操作体に振動を付与する振動付与手段とを備え、
前記振動付与手段の振動による前記非操作時の前記移動操作体の振幅を、前記第１可動範囲内の大きさとし、前記非操作時の移動操作体が、前記振動付与手段による振動によって前記第１可動範囲から前記第２可動範囲内に進入しないようにし、
前記移動操作体を、前記第１及び第２の可動範囲内の移動方向である第１移動方向に移動可能に支持する第１支持ベースと、
前記第１支持ベースを前記第１移動方向と異なる第２移動方向に移動可能に支持する第２支持ベースと、
前記第１支持ベースを前記第２移動方向における第２移動原点位置に付勢する第２原点付勢手段と、
前記第２支持ベースと前記第１支持ベースとに設けられて、前記第１支持ベースを前記第２移動原点位置に位置決めする原点位置決め部と、
前記原点位置決め部に設けられて、前記移動操作体からの振動を前記第１支持ベースと前記第２支持ベースとの間で吸収するための緩衝材とを備えたことを特徴とする遊技機。
【請求項２】
前記第２可動範囲は、前記第１可動範囲を挟んだ両側に設けられ、
前記操作検出手段は、前記第２可動範囲のうち前記第１可動範囲の一端部より外側の第１検出位置と、前記第２可動範囲のうち前記第１可動範囲の他端部より外側の第２検出位置とに配置されたことを特徴とする請求項１に記載の遊技機。
【請求項３】
前記移動操作体は、前記第１支持ベースに対して回動可能に支持される一方、
前記第１支持ベースは、前記第２支持ベースに対して、前記移動操作体の回転軸と平行な方向に直動可能に支持され、
前記操作復帰付勢手段は、前記移動操作体の回転軸回りに巻回されたコイル部を前記回転軸回りに捻った状態で、そのコイル部の両端部から側方に突出した１対のバネ端末部を前記第１支持ベースに係止してなるねじりコイルバネであり、
前記移動操作体には、前記１対のバネ端末部の間に配置されて、前記移動操作体が前記第１可動範囲から前記第２可動範囲に進入したときに、一方の前記バネ端末部と当接して前記ねじりコイルバネから付勢力を受けるバネ当接部が備えられたことを特徴とする請求項１又は２に記載の遊技機。
【請求項４】
前記第１支持ベースと前記第２支持ベースとの何れか一方に設けられて前記移動操作体の回転軸と平行に延びた複数の直動ガイド軸部と、他方に形成されて前記直動ガイド軸部が直動可能かつ抜け止め状態で貫通した複数の直動ガイド孔と、前記直動ガイド軸部に挿通されて前記第２支持ベースと前記第１支持ベースとの間で突っ張り状態にされた前記第２原点付勢手段としての圧縮コイルバネとを備えたことを特徴とする請求項３に記載の遊技機。
【請求項５】
前記移動操作体は移動操作するときに把持可能なグリップ部を有し、そのグリップ部に、前記振動付与手段としての振動モータが内蔵されたことを特徴とする請求項１乃至４の何れか１の請求項に記載の遊技機。
【発明の詳細な説明】
【技術分野】
【０００１】
本発明は、移動操作可能な移動操作体に、振動を付与することが可能な遊技機に関する。
【背景技術】
【０００２】
従来のこの種の遊技機としては、第１可動範囲と、その第１可動範囲より外側の第２可動範囲とに亘って移動操作可能な移動操作部が、第２可動範囲内の検出位置に到達した場合に、遊技状態が変化するようにしたものが知られている（例えば、特許文献１参照）。
【先行技術文献】
【特許文献】
【０００３】
【特許文献１】特開２００６−３３４３０３号公報（段落［００１８］、第３図）
【発明の概要】
【発明が解決しようとする課題】
【０００４】
ところが、上述した従来の遊技機では、移動操作体を遊技者が把持していない状態で、移動操作体に振動が付与されると、その振動によって移動操作体が勝手に検出位置まで移動し、遊技者の意図に反して遊技状態が変化してしまうという問題があった。
【０００５】
本発明は、上記事情に鑑みてなされたものであって、遊技者の意図しない遊技状態の変化を抑制して、趣向性の低下を抑えることが可能な遊技機の提供を目的とする。
【課題を解決するための手段】
【０００６】
上記目的を達成するためになされた請求項１の発明に係る遊技機は、第１可動範囲と、第１可動範囲と隣り合う第２可動範囲とに亘って移動操作可能な移動操作体と、移動操作体を操作して第１可動範囲から第２可動範囲に進入したときにその移動操作体を第１可動範囲に戻すように付勢し、非操作時の移動操作体を第１可動範囲内に位置させる操作復帰付勢手段と、第２可動範囲内の検出位置に配置され、遊技状態を変化させる契機として移動操作体が検出位置に到達したことを検出する操作検出手段と、少なくとも第１可動範囲内の移動操作体に振動を付与する振動付与手段とを備え、振動付与手段の振動による非操作時の移動操作体の振幅を、第１可動範囲内の大きさとし、非操作時の移動操作体が、振動付与手段による振動によって第１可動範囲から第２可動範囲内に進入しないようにし、移動操作体を、第１及び第２の可動範囲内の移動方向である第１移動方向に移動可能に支持する第１支持ベースと、第１支持ベースを第１移動方向と異なる第２移動方向に移動可能に支持する第２支持ベースと、第１支持ベースを第２移動方向における第２移動原点位置に付勢する第２原点付勢手段と、第２支持ベースと第１支持ベースとに設けられて、第１支持ベースを第２移動原点位置に位置決めする原点位置決め部と、原点位置決め部に設けられて、移動操作体からの振動を第１支持ベースと第２支持ベースとの間で吸収するための緩衝材とを備えたところに特徴を有する。
【０００７】
請求項２の発明は、請求項１に記載の遊技機において、第２可動範囲は、第１可動範囲を挟んだ両側に設けられ、操作検出手段は、第２可動範囲のうち第１可動範囲の一端部より外側の第１検出位置と、第２可動範囲のうち第１可動範囲の他端部より外側の第２検出位置とに配置されたところに特徴を有する。
【０００９】
請求項３の発明は、請求項１又は２に記載の遊技機において、移動操作体は、第１支持ベースに対して回動可能に支持される一方、第１支持ベースは、第２支持ベースに対して、移動操作体の回転軸と平行な方向に直動可能に支持され、操作復帰付勢手段は、移動操作体の回転軸回りに巻回されたコイル部を回転軸回りに捻った状態で、そのコイル部の両端部から側方に突出した１対のバネ端末部を第１支持ベースに係止してなるねじりコイルバネであり、移動操作体には、１対のバネ端末部の間に配置されて、移動操作体が第１可動範囲から第２可動範囲に進入したときに、一方のバネ端末部と当接してねじりコイルバネから付勢力を受けるバネ当接部が備えられたところに特徴を有する。
【００１０】
請求項４の発明は、請求項３に記載の遊技機において、第１支持ベースと第２支持ベースとの何れか一方に設けられて移動操作体の回転軸と平行に延びた複数の直動ガイド軸部と、他方に形成されて直動ガイド軸部が直動可能かつ抜け止め状態で貫通した複数の直動ガイド孔と、直動ガイド軸部に挿通されて第２支持ベースと第１支持ベースとの間で突っ張り状態にされた第２原点付勢手段としての圧縮コイルバネとを備えたところに特徴を有する。
【００１１】
請求項５の発明は、請求項１乃至４の何れか１の請求項に記載の遊技機において、移動操作体は移動操作するときに把持可能なグリップ部を有し、そのグリップ部に、振動付与手段としての振動モータが内蔵されたところに特徴を有する。
【発明の効果】
【００１２】
［請求項１の発明］
請求項１の遊技機によれば、非操作時の移動操作体は、操作復帰付勢手段によって第１可動範囲内に留められ、操作復帰付勢手段の付勢力は、非操作時の移動操作体が振動によって第１可動範囲から第２可動範囲に移動しない程度の大きさになっているから、第１可動範囲内の移動操作体が、振動によって勝手に第２可動範囲に進入して検出位置に到達することを抑制することができる。これにより、遊技者の意図しない遊技状態の変化を抑制することができ、趣向性の低下を抑えることができる。しかも、本発明によれば、移動操作体は、第１移動方向と、第１移動方向とは異なる第２移動方向とに移動操作することができるから、移動操作体の操作による遊技の趣向性が向上する。また、非操作時の移動操作体は、第１移動方向における第１可動範囲に位置すると共に、第２原点付勢手段と原点位置決め部とによって第２移動方向における第２移動原点位置に停止位置決めされ、原点位置決め部には、移動操作体から伝搬した振動を、第１支持ベースと第２支持ベースとの間で吸収する緩衝材が設けられたから、第２支持ベースの外部への漏れ振動を低減することができる。
【００１３】
［請求項２の発明］
請求項２の発明によれば、移動操作体は、第１可動範囲を挟んで両側に移動操作することができ、移動操作体の操作による遊技の趣向性が向上する。
【００１５】
［請求項３の発明］
請求項３の発明によれば、移動操作体は、回転移動操作とその回転軸と平行な方向への直動操作とが可能となり、移動操作体の操作による遊技の趣向性を向上させることができる。また、移動操作体の回転軸回りにねじりモーメントを受けた状態のねじりコイルバネを、操作復帰付勢手段として備えており、移動操作体の回転移動によって移動操作体が第１可動範囲から第２可動範囲に進入すると、移動操作体に備えたバネ当接部がねじりコイルバネにおける一方のバネ端末部と当接してねじりモーメントを受ける。これにより、第２可動範囲に進入した移動操作体を第１可動範囲に戻すように付勢することができる。
【００１６】
［請求項４の発明］
請求項４の発明によれば、直動ガイド軸部と直動ガイド孔とによって、第２支持ベースに対する第１支持ベースの直動が案内されるから、直動操作を円滑に行うことができる。また、直動ガイド軸部に挿通されて、第２支持ベースと第１支持ベースとの間で突っ張り状態にされた圧縮コイルバネによって、移動操作体とこれを支持した第１支持ベースとを、第２移動方向における第２移動原点位置に付勢することができる。
【００１７】
［請求項５の発明］
請求項５の発明によれば、グリップ部を把持した手で振動を体感することができる。
【図面の簡単な説明】
【００１８】
【図１】本発明の第１実施形態に係るパチンコ遊技機の正面図
【図２】操作ハンドルを第１回動範囲と第２回動範囲の境界まで回動させた状態のハンドルアッシの正面図
【図３】操作ハンドルを限界位置まで回動させた状態のハンドルアッシの正面図
【図４】ハンドルアッシの正面側の斜視図
【図５】ハンドルアッシの背面側の斜視図
【図６】ハンドルアッシの側面図
【図７】操作ハンドルを直動原点位置に配置した状態のハンドルアッシの平面図
【図８】操作ハンドルを直動終端位置に配置した状態のハンドルアッシの平面図
【図９】ハンドルアッシの背面図
【図１０】ハンドルアッシの分解斜視図
【図１１】ハンドルアッシの分解斜視図
【図１２】回転カップの背面側斜視図
【図１３】直動カップの背面側斜視図
【図１４】固定支持ベースの背面側斜視図
【図１５】参考例に係るハンドルアッシの背面図
【図１６】（Ａ）遊技ハンドルが第１回動範囲と第２回動範囲の境界まで回転したときのハンドルアッシの背面図、（Ｂ）遊技ハンドルが第２回動範囲に進入した状態のハンドルアッシの背面図
【図１７】第２実施形態に係るハンドルアッシの背面図
【発明を実施するための形態】
【００１９】
［第１実施形態］
以下、本発明の「遊技機」としてのパチンコ遊技機１０に係る第１実施形態を、図１〜図１４に基づいて説明する。図１に示すように、パチンコ遊技機１０は、遊技球が流下可能な遊技領域Ｒ１を備え、その遊技領域Ｒ１をパチンコ遊技機１０の前面から視認可能となっている。遊技領域Ｒ１の中央には液晶表示装置１２が配置されており、液晶表示装置１２の周囲には、図示しない入賞部、役物、障害釘等が配置されている。
【００２０】
パチンコ遊技機１０の前面のうち、遊技領域Ｒ１の下方には、遊技球を貯留可能な上皿１３及び下皿１４が上下二段にして設けられている。下皿１４の右側方には、発射操作ノブ１５が備えられ、この発射操作ノブ１５を回動操作することで、図示しない発射装置から遊技領域Ｒ１に向かって遊技球が発射される。遊技領域Ｒ１を流下する遊技球が入賞部に入球すると、賞球として所定数の遊技球が上皿１３に払い出される。また、入賞部への入球を契機として、液晶表示装置１２では表示演出が行われる。
【００２１】
パチンコ遊技機１０の前面のうち、下皿１４の左側方には、遊技ハンドル２０（本発明の「移動操作体」に相当する）が設けられている。ここで、液晶表示装置１２では、入賞部への入球を契機とする通常の表示演出とは別に、遊技者が参加することができる特殊表示演出が行われる。遊技ハンドル２０は、その特殊表示演出時の液晶表示装置１２に対する入力手段であり、以下に説明する遊技ハンドル２０の操作によって、特殊表示演出の演出内容を、遊技者が任意に変更することが可能になっている。
【００２２】
遊技ハンドル２０は、パチンコ遊技機１０の前後方向に延びた水平な回転軸回りで回転移動操作することが可能となっている。具体的には、図２及び図３に示すように、第１回動範囲Ｘ１と、その第１回動範囲Ｘ１より外側の第２回動範囲Ｘ２とに亘って回転移動操作することが可能となっている。第２回動範囲Ｘ２は、第１回動範囲Ｘ１を挟んだ両側に設けられており、遊技ハンドル２０は、第１回動範囲Ｘ１から、時計回り方向と反時計回り方向とに回転移動操作することができる。図２の実線で示された位置と一点鎖線で示された位置を両端とする回動範囲が、第１回動範囲Ｘ１である。また、以下の説明では、図２の実線で示された位置と図３の実線で示された位置を両端とする回動範囲を、「正側の第２回動範囲Ｘ２」といい、図２の一点鎖線で示された位置と図３の一点鎖線で示された位置を両端とする回動範囲を、「負側の第２回動範囲Ｘ２」という。なお、第１回動範囲Ｘ１は、本発明の「第１可動範囲」に相当し、第２回動範囲Ｘ２は、本発明の「第２可動範囲」に相当する。また、これら第１回動範囲Ｘ１内と第２回動範囲Ｘ２内における移動方向が、本発明の「第１移動方向」に相当する。
【００２３】
正負の両第２回動範囲Ｘ２内には、それぞれ正側検出位置と負側検出位置（本発明の「第１検出位置」及び「第２検出位置」に相当する）とが設定されており、それら正側検出位置と負側検出位置には、それぞれ回転検出センサ４８（図９参照）が設けられている。これら回転検出センサ４８によって遊技ハンドル２０が正側検出位置又は負側検出位置に到達したことが検出されると、これを契機として遊技状態が変化する。即ち、液晶表示装置１２における特殊表示演出の演出内容が変更される。
【００２４】
遊技ハンドル２０は、上述したように、第１回動範囲Ｘ１とその両側の第２回動範囲Ｘ２とに亘って回転操作することが可能であるが、遊技者が遊技ハンドル２０から手を離した非操作時には、第１回動範囲Ｘ１内に位置するように付勢されている。即ち、遊技ハンドル２０が第１回動範囲Ｘ１から第２回動範囲Ｘ２に進入したときに、第１回動範囲Ｘ１に押し戻すように付勢されており、その付勢力を上回る力で回転操作された場合に、遊技ハンドル２０が正側検出位置又は負側検出位置に到達し得るようになっている。
【００２５】
遊技ハンドル２０は、上述した回転移動操作における回転軸方向（本発明の「第２移動方向」に相当する）、即ち、パチンコ遊技機１０の前後方向に直動操作することが可能となっている。遊技ハンドル２０は、その直動範囲の一端である直動原点位置（本発明の「第２移動原点位置」に相当する）に付勢されており、遊技ハンドル２０から手が離れた非操作時には、直動原点位置に位置決めされている。本実施形態では、パチンコ遊技機１０の前後方向に延びた直動範囲の前端位置が、直動原点位置となっており、その前端位置から直動範囲の後端位置に向けて直動操作したときに、遊技ハンドル２０を前端位置に押し返すように付勢されている。
【００２６】
さらに、遊技ハンドル２０には、本発明の「振動付与手段」としての振動モータ２４（図１０参照）が内蔵されており、遊技ハンドル２０を把持した遊技者に振動を体感させることが可能となっている。この振動により、例えば、遊技者に遊技ハンドル２０の操作を喚起させることができる。また、液晶表示装置１２の表示演出と連動して遊技ハンドル２０を振動させることで、表示演出の趣向性を高めることができる。以上が、遊技ハンドル２０の概要であり、以下、遊技ハンドル２０とその移動機構の構成について詳説する。
【００２７】
遊技ハンドル２０は、図４に示すハンドルアッシ９０の一部を構成している。ハンドルアッシ９０は、遊技ハンドル２０と、パチンコ遊技機１０の本体に固定される固定支持ベース７０（本発明の「第２支持ベース」に相当する）と、固定支持ベース７０に対して直動可能に支持された可動支持ベース４０（本発明の「第１支持ベース」に相当する）とから構成されており、遊技ハンドル２０は、可動支持ベース４０に対して回動可能に支持されている。
【００２８】
遊技ハンドル２０は、パチンコ遊技機１０の前方に開放した有底筒状の回転カップ２５と、その開口端から前方に突出したバーグリップ２１（本発明の「グリップ部」に相当する）とを備えており、回転カップ２５の内側に手を入れてバーグリップ２１を把持することが可能となっている。バーグリップ２１は、略円柱状をなしており、回転カップ２５の開口端に架け渡されている。また、バーグリップ２１の一端部には、バーグリップ２１を把持したまま操作することが可能な押ボタン２２が設けられている。
【００２９】
図１０に示すように、バーグリップ２１の内部には、押ボタン２２の操作を検出する検出スイッチ２３と振動モータ２４とが収容されている。振動モータ２４は、バーグリップ２１の他端寄り位置に配置されており、振動モータ２４の回転軸に固定された偏心分銅２４Ａが回転することで、バーグリップ２１を振動させるようになっている。なお、バーグリップ２１は、１対のグリップ半割体２１Ｂ，２１Ｂを合体して構成されており、それらグリップ半割体２１Ｂ，２１Ｂの間に振動モータ２４と検出スイッチ２３とが挟持されている。
【００３０】
図１２に示すように、回転カップ２５は、円形のカップ底壁２６の周縁部からカップ周壁２７が起立した構造をなしており、カップ周壁２７は、カップ底壁２６から離れるに従って拡径した円錐台形状をなしている。また、回転カップ２５は、バーグリップ２１を把持した手が殆ど当たらないような内径と奥行きを有している。
【００３１】
カップ底壁２６の外面の中心には、円柱状のセンターポスト２８が設けられている。センターポスト２８は、回転カップ２５の軸方向に突出しており、そのセンターポスト２８の軸心部を配線挿通孔２８Ａが貫通している。また、図１１に示すように、センターポスト２８は、カップ底壁２６に一体形成されたインナー軸部２８Ｂと、インナー軸部２８Ｂの外側に回転不能に嵌合した摺動スリーブ２８Ｃとから構成されている。摺動スリーブ２８Ｃの一端部には円形鍔部２８Ｄが形成されており、その円形鍔部２８Ｄがカップ底壁２６の外面におけるインナー軸部２８Ｂの周辺に宛がわれている（図１２参照）。
【００３２】
図１２に示すように、カップ底壁２６の外面の外縁寄り位置には、回転ストッパ突部２９とドグ取付軸部３０とが設けられている。回転ストッパ突部２９とドグ取付軸部３０は、センターポスト２８を挟んだ両側位置（詳細には、回転カップ２５の周方向で互いに１８０度離れた位置）に設けられている。また、カップ底壁２６の外面のうち、センターポスト２８寄りの位置には、円柱状のバネ当接ピン３２（本発明の「バネ当接部」に相当する）が設けられている。これら回転ストッパ突部２９、ドグ取付軸部３０及びバネ当接ピン３２は、それぞれ回転カップ２５の軸方向に突出しており、ドグ取付軸部３０の先端には、センサドグ３１が固定されている。センサドグ３１は、回転検出センサ４８（図９参照）の被検出体であり、カップ底壁２６の外面と平行な平板状をなしている。
【００３３】
図１０に示すように、カップ底壁２６の内面には円形の装飾底板３３が宛がわれて螺子止めされている。装飾底板３３は、カップ底壁２６の内面から離間した状態で固定されており、それら装飾底板３３とカップ底壁２６との間に、配線挿通孔２８Ａと連通した底部隙間が形成されている。
【００３４】
図１２に示すように、回転カップ２５の周壁２７には、切欠部３４と共に固定座部３５が形成されている。これら切欠部３４と固定座部３５は、カップ周壁２７の周方向で互いに１８０度離れた二箇所に形成されており（図１０参照）、両固定座部３５，３５に、バーグリップ２１の両端部から突出した固定脚部２１Ａ，２１Ａ（図４参照）が突き当てられて螺子止めされている。また、図１２に示すように、カップ周壁２７の外周面には、固定座部３５から後方に延びた配線敷設溝３６が形成されており、その配線敷設溝３６とカップ底壁２６とが交差した角部に、前記底部隙間と連通した配線引込孔３６Ａが貫通形成されている。図示しないが、振動モータ２４のリード線と検出スイッチ２３のリード線は、バーグリップ２１の両固定脚部２１Ａ，２１Ａから引き出され、配線敷設溝３６、配線引込孔３６Ａ、底部隙間及び配線挿通孔２８Ａを通ってハンドルアッシ９０の後面に取り付けられた中継回路基板７８（図１１参照）に接続されている。以上が、操作ハンドル２０の説明である。
【００３５】
可動支持ベース４０は、パチンコ遊技機１０の前方に開放した有底筒状の直動カップ４１（図１３参照）とその直動カップ４１の底壁４２に固定された後面カバー５５（図５参照）とから構成されている。直動カップ４１は、上述した遊技ハンドル２０における回転カップ２５の全体を、その中心軸回りで回転可能に受容している。また、直動カップ４１は、軸方向の中間部で、カップ本体５９と先端リング５８とに分割可能となっている。カップ本体５９に遊技ハンドル２０を受容した状態で、カップ本体５９の開口端に先端リング５８が固定されて、カップ本体５９と先端リング５８との間で回転カップ２５が直動不可能に挟まれている。
【００３６】
図１３に示すように、直動カップ４１は、円形のカップ底壁４２の周縁部からカップ周壁４３が起立した構造をなしており、カップ底壁４２が回転カップ２５の底壁２６と対向すると共に、カップ周壁４３が、回転カップ２５の周壁２７の外側を包囲している。
【００３７】
直動カップ４１の開口端には、径方向内側に張り出した前端フランジ６１（図１１参照）が形成されている。前端フランジ６１は、直動カップ４１に受容された回転カップ２５の開口端にオーバーラップしており、これにより、遊技ハンドル２０が可動支持ベース４０から離脱不可能となっている。また、回転カップ２５の開口端と前端フランジ６１との間には、摺動リング６２（図４参照）が挟まれている。摺動リング６２により、回転カップ２５が直動カップ４１の内側で回転したときの摩擦抵抗を軽減することができる。
【００３８】
カップ周壁４３のうち軸方向の中間部には、径方向外側に張り出した中間フランジ４４が形成されている。カップ周壁４３のうち、中間フランジ４４よりカップ底壁４２側の部分は、中間フランジ４４から離れるに従って縮径した円錐台形状をなしており、中間フランジ４４より開口端側の部分は、外径が一定の円筒形をなしている。なお、図１０及び図１１に示すように、中間フランジ４４と前端フランジ６１は、共に先端リング５８に一体形成されている。
【００３９】
図１０に示すように、カップ周壁４３の左右両側部には、側方張出壁４５，４５が形成されている。側方張出壁４５は、直動カップ４１の軸方向の中間部において、カップ周壁４３の外周面に沿って円弧状に延びている。また、図１３に示すように、側方張出壁４５の延在方向における両端位置からは、直動ガイドピン４６，４６（本発明の「直動ガイド軸部」に相当する）が起立している。図１３に示すように、直動ガイドピン４６は、カップ周壁４３の側方で直動カップ４１の中心軸と平行に延びている。また、直動ガイドピン４６の外側には、圧縮コイルバネ６３が挿通されている。なお、図１０に示すように、側方張出壁４５，４５は、カップ本体５９の開口端に一体形成されている。
【００４０】
図１０及び図１１に示すように、カップ底壁４２の中心部には、円形のセンター孔４２Ａが貫通形成されており、そのセンター孔４２Ａの周縁部には、カップ底壁４２の内外に突出した円筒形の軸受筒４７が形成されている。軸受筒４７の内側に、回転カップ２５のセンターポスト２８、より詳細には、摺動スリーブ２８Ｃが回転可能に嵌合すると共に（図９参照）、軸受筒４７の前端部が摺動スリーブ２８Ｃにおける円形鍔部２８Ｄ（図１２参照）に突き当てられている。
【００４１】
図１３に示すように、軸受筒４７のうち、カップ底壁４２から後面カバー５５に向かって突出した部分の外側には、摺動スリーブ６４が嵌合している。摺動スリーブ６４は、その軸方向の一端に円形鍔部６４Ａ（図９参照）を備えており、その円形鍔部６４Ａが、カップ底壁４２の外面に宛がわれている。そして、摺動スリーブ６４の外側に、ねじりコイルバネ５０（本発明の「操作復帰付勢手段」に相当する）のコイル部５１が遊嵌している。
【００４２】
カップ底壁４２のうち、軸受筒４７（センター孔４２Ａ）寄り位置には、ピン貫通円弧孔４２Ｂが貫通形成されている。図９に示すように、ピン貫通円弧孔４２Ｂは、軸受筒４７の上方に設けられて、軸受筒４７と同心の円弧状に延びている。このピン貫通円弧孔４２Ｂを、回転カップ２５の底壁２６から起立したバネ当接ピン３２（図１２参照）が貫通して、カップ底壁４２の後方に突出している。即ち、遊技ハンドル２０の回転に伴い、バネ当接ピン３２が、ピン貫通円弧孔４２Ｂの範囲内で移動可能となっている。
【００４３】
図９に示すように、カップ底壁４２の外縁寄り位置には、ストッパ用円弧孔４２Ｃとセンサ用円弧孔４２Ｄとが貫通形成されている。ストッパ用円弧孔４２Ｃとセンサ用円弧孔４２Ｄは、軸受筒４７（センター孔４２Ａ）を挟んで互いに反対側に配置されており、それぞれ軸受筒４７と同心の円弧状に延びている。
【００４４】
ストッパ用円弧孔４２Ｃには、回転カップ２５の底壁２６から突出した回転ストッパ突部２９（図１２参照）が突入しており、その回転ストッパ用円弧孔４２Ｃの一端に回転ストッパ突部２９が当接した位置と、回転ストッパ用円弧孔４２Ｃの他端に回転ストッパ突部２９が当接した位置とを両端とする回動範囲で、遊技ハンドル２０が回動可能となっている。また、センサ用円弧孔４２Ｄを、回転カップ２５の底壁２６から突出したドグ取付軸部３０（図１２参照）が貫通しており、ドグ取付軸部３０の先端に固定されたセンサドグ３１が、カップ底壁４２より後方で、センサ用円弧孔４２Ｄの範囲内を移動可能となっている。
【００４５】
図９に示すように、カップ底壁４２の外面のうち、センサ用円弧孔４２Ｄの両端寄り位置には、それぞれ回転検出センサ４８，４８（本発明の「操作検出手段」に相当する）が設けられている。回転検出センサ４８は、投光器と受光器とを対向配置してなる公知な透過形光センサであり、それら投光器と受光器の間を、平板状のセンサドグ３１が進退可能となっている。遊技ハンドル２０が、第１回動範囲Ｘ１から時計回り方向に回転すると、センサドグ３１が、図９における上側の回転検出センサ４８に向かって移動し、その上側の回転検出センサ４８において、投射光がセンサドグ３１によって遮光されることで、遊技ハンドル２０が正側検出位置に到達したことが検知される。また、遊技ハンドル２０が、第１回動範囲Ｘ１から反時計回り方向に回転すると、センサドグ３１が、図９における下側の回転検出センサ４８に向かって移動し、その下側の回転検出センサ４８において、投射光が板状のセンサドグ３１によって遮光されることで、遊技ハンドル２０が負側検出位置に到達したことが検知される。
【００４６】
図９に示すように、カップ底壁４２のうち軸受筒４７の真上位置には、バネ係止突壁４９が設けられている。図１３に示すように、バネ係止突壁４９は、ピン貫通円弧孔４２Ｂとストッパ用円弧孔４２Ｃとの間から、後面カバー５５に向かって庇状に突出している。また、バネ係止突壁４９は、軸受筒４７と同心の円弧状に湾曲している。
【００４７】
ねじりコイルバネ５０は、摺動スリーブ６４の外側に遊嵌されたコイル部５１が巻き締め方向に捻られた状態で、コイル部５１から側方に突出した１対のバネ端末部５２，５２が、バネ係止突壁４９の両側部に係止されており、常に、遊技ハンドル２０の回転軸回りのねじりモーメントを受けた状態で取り付けられている。
【００４８】
図９に示すように、回転カップ２５に固定されたバネ当接ピン３２は、ピン貫通円弧孔４２Ｂを貫通して、１対のバネ端末部５２，５２の間に配置されており、遊技ハンドル２０が回転したときに、バネ当接ピン３２とバネ端末部５２とが当接可能となっている。例えば、第１回動範囲Ｘ１に位置する遊技ハンドル２０が、時計回り方向に回転して、第１回動範囲Ｘ１と正側の第２回動範囲Ｘ２との境界位置（図２の実線で示した位置）に到達したとき、バネ当接ピン３２が、図９における左側のバネ端末部５２と当接する。ここから、さらに時計回り方向に回転して、正側の第２回動範囲Ｘ２に進入すると、バネ端末部５２がバネ当接ピン３２に押されてバネ係止突壁４９から離間し、遊技ハンドル２０がねじりコイルバネ５０によって第１回動範囲Ｘ１に押し戻す方向に付勢される。また、第２回動範囲Ｘ２に進入すると、ねじりコイルバネ５０のコイル部５１が巻き締め方向に捻れて、ねじりモーメントが増加し、第１回動範囲Ｘ１に押し戻す付勢力が徐々に増加する。第１回動範囲Ｘ１に位置する遊技ハンドル２０が、反時計回り方向に回転した場合も同様である。このように、遊技ハンドル２０は、ねじりコイルバネ５０のねじりモーメントよって、遊技ハンドル２０から手を離した非操作時に、第１回動範囲Ｘ１内に位置するように付勢されている。
【００４９】
図１３に示すように、カップ底壁４２のうち、軸受筒４７を挟んだ二位置には、センサドグ５３，５３が一体形成されている。センサドグ５３は、カップ底壁４２の外面から直角に起立しかつ、カップ周壁４３の側方に張り出した板状をなしている。これらセンサドグ５３は、後述する直動検出センサ７７の被検出体である。
【００５０】
さらに、カップ底壁４２の外面のうち、回転検出センサ４８の近傍位置には、後面カバー５５に向かって突出した複数の締結ボス５４が設けられている。
【００５１】
図５に示すように、後面カバー５５は、カップ底壁４２の外面に宛がって固定されており、カップ底壁４２の外面に組み付けられた回転検出センサ４８，４８とねじりコイルバネ５０を、後方と側方とから覆っている。後面カバー５５は、カップ底壁４２の外面に対向した主板壁５６と、主板壁５６の縁部からカップ底壁４２に向かって起立した囲壁５７とを有している。また、主板壁５６は、ピン貫通円弧孔４２Ｂと対向した扇形壁部と、センサ用円弧孔４２Ｄと対向した扇形壁部とを、円形壁部で連絡した構造をなしている。円形壁部には、軸受筒４７が突き当てられており、後面カバー５５とカップ底壁４２との間にねじりコイルバネ５０と摺動スリーブ６４とが挟まれている。また、円形壁部の中心にはＤ形のカバー中央孔５６Ａが貫通形成され、そのカバー中央孔５６Ａと遊技ハンドル２０に設けられた配線挿通孔２８Ａ（図１２参照）とが同軸上に配置されている。
【００５２】
また、主板壁５６の内面からカップ底壁４２に向かって、カバー中央孔５６Ａと同心円弧状の円弧壁５６Ｂ（図１０参照）が突出しており、その円弧壁５６Ｂの内周面と摺動スリーブ６４の外周面との間に形成された円弧状空間に、ねじりコイルバネ５０のコイル部５１が収容されている。後面カバー５５に設けられた囲壁５７及び円弧壁５６Ｂは、カップ底壁４２の外面に突き当てられており、カップ底壁４２から後面カバー５５に向かって突出したバネ係止突壁４９及び締結ボス５４が主板壁５６の内面に突き合わされている。
【００５３】
バネ係止突壁４９は、主板壁５６の内面に形成された嵌合凹部５６Ｄ（図１０参照）と凹凸係合している。また、主板壁５６の内面から締結ボス５４に向かって支持ボス５６Ｃ（図１０参照）が突出しており、締結ボス５４の先端が支持ボス５６Ｃの内側に凹凸嵌合している。そして、主板壁５６を貫通した複数の螺子が、バネ係止突壁４９及び締結ボス５４に形成された螺子孔と螺合することで、後面カバー５５と直動カップ４１とが一体に固定されている。以上が、可動支持ベース４０の説明である。
【００５４】
図１４に示すように、固定支持ベース７０は、前面装飾リング８０と、その前面装飾リング８０の後面に固定された固定フレーム７１とから構成されている。前面装飾リング８０は、直動カップ４１の先端リング５８よりも大径な円形孔８１を備えており、固定フレーム７１は、その円形孔８１と略同一の内径を有する円形周囲壁７２を有している。円形周囲壁７２と前面装飾リング８０は、直動カップ４１の外側に遊嵌している。また、円形周囲壁７２と前面装飾リング８０は、軸方向に離して配置されており、直動カップ４１の周壁４３から張り出した中間フランジ４４が、円形周囲壁７２と前面装飾リング８０の間に配置されている。
【００５５】
円形周囲壁７２の左右両側部には側方膨出部７３，７３が設けられている。側方膨出部７３は、前方（前面装飾リング８０の後面）に向かって開放した袋構造をなしており、円形周囲壁７２の周方向に沿って円弧状に延びている。直動カップ４１の側方張出壁４５（図１３参照）は、前面装飾リング８０と側方膨出部７３の後端壁との間で直動可能となっている。
【００５６】
固定フレーム７１には、連結脚部７４と固定脚部７５とがそれぞれ複数ずつ設けられている。連結脚部７４は、円形周囲壁７２の前方に突出しており、それら複数の連結脚部７４の先端が、前面装飾リング８０の後面に突き当てられて螺子止めされている。一方、固定脚部７５は、側方膨出部７３の延在方向における両端位置から、円形周囲壁７２の後方に突出している。これら複数の固定脚部７５は、その先端部がパチンコ遊技機１０の本体に突き当てられて螺子止めされている。
【００５７】
側方膨出部７３の延在方向における両端寄り位置には、直動ガイド孔７６が形成されている。直動ガイド孔７６は、その内側に嵌合した滑り軸受７６Ａを介して、可動支持ベース４０（直動カップ４１）に備えた直動ガイドピン４６（図１３参照）を直動可能に支持している。また、直動ガイドピン４６は、その先端部に係止された抜止部材４６Ａによって、直動ガイド孔７６に対して抜け止めされている。さらに、直動ガイドピン４６の外側に挿通された圧縮コイルバネ６３（図５参照）が、直動カップ４１の側方張出壁４５と、固定フレーム７１における側方膨出部７３の後端壁との間で突っ張り状態になっている。そして、これら複数の圧縮コイルバネ６３により、可動支持ベース４０が、固定支持ベース７０に対する直動範囲の前端位置（直動原点位置）に付勢されている。圧縮コイルバネ６３は、本発明の「第２原点付勢手段」に相当する。
【００５８】
図９に示すように、側方膨出部７３，７３の後面には、それぞれ直動検出センサ７７，７７が固定されている。直動検出センサ７７は、回転検出センサ４８と同じ構成の透過形光センサであって、側方膨出部７３の後面のうち、上下に離して配置された直動ガイド孔７６，７６の間に配置されている。そして、固定支持ベース７０に対する可動支持ベース４０の直動に伴い、直動カップ４１に形成されたセンサドグ５３が、直動検出センサ７７の投光器と受光器との間を進退可能となっている。本実施形態では、遊技ハンドル２０が、その直動範囲の後端位置から前端位置に向かって移動する過程で、センサドグ５３が直動検出センサ７７に進入し、直動範囲の中間位置から前端位置までの範囲で、直動検出センサ７７における投射光を、センサドグ５３が遮光するように構成されている。
【００５９】
図５に示すように、固定フレーム７１の後面のうち、側方膨出部７３より下方には、中継回路基板７８（図１１参照）を収容した基板ケース７９が固定されている。図１１に示すように、基板ケース７９は、前後方向の中間部で１対のケース構成体７９Ａ，７９Ａに二分割することが可能となっている。中継回路基板７８には、回転検出センサ４８及び直動検出センサ７７が、図示しないリード線を介して接続されている。また、バーグリップ２１からハンドルアッシ９０の後面側に引き込まれた振動モータ２４及び検出スイッチ２３のリード線（図示せず）が、中継回路基板７８に接続されている。
【００６０】
前面装飾リング８０は、上述した遊技ハンドル２０と共に、パチンコ遊技機１０の前面に露出しており、その外周囲には、例えば、めっき装飾が施されている。また、前面装飾リング８０の内部には図示しない発光基板が内蔵されており、その発光基板に実装されたＬＥＤ等の発光素子によって、前面装飾リング８０の前面が発光可能となっている。
【００６１】
前面装飾リング８０に形成された円形孔８１の内径は、直動カップ４１の周壁４３から張り出した中間フランジ４４よりも小径となっている。圧縮コイルバネ６３によって直動範囲の前端位置に付勢された可動支持ベース４０は、中間フランジ４４が前面装飾リング８０の後面に当接することで、直動範囲の前端位置（直動原点位置）に位置決めされている。また、可動支持ベース４０を、その直動範囲の前端位置から後端位置に向けて直動させた場合、中間フランジ４４が、固定フレーム７１の円形周囲壁７２に当接することで、それ以上の移動が禁止される。つまり、遊技ハンドル２０及び可動支持ベース４０は、直動カップ４１の中間フランジ４４が前面装飾リング８０の後面と当接した前端位置と、中間フランジ４４が円形周囲壁７２の前端面と当接した後端位置との間で、直動可能となっている。なお、中間フランジ４４と前面装飾リング８０は、本発明の「原点位置決め部」に相当する。
【００６２】
ここで、前面装飾リング８０の後面のうち、円形孔８１の周縁部には、振動を吸収することが可能な緩衝材８２が取り付けられており、遊技ハンドル２０がその直動範囲の前端位置に位置するときに、中間フランジ４４が当接して、振動モータ２４による振動を可動支持ベース４０と固定支持ベース７０との間で吸収することが可能となっている。これにより、ハンドルアッシ９０の外部への漏れ振動を低減することが可能となっている。
【００６３】
本実施形態の構成は以上である。次に、本実施形態の作用を説明する。発射操作ノブ１５を回動操作すると、遊技球が遊技領域Ｒ１に向けて発射される。遊技領域Ｒ１に打ち込まれた遊技球は、遊技領域Ｒ１に設けられた図示しない役物や障害釘に接触してランダム経路で流下する。遊技領域Ｒ１を流下する途中で、遊技球が入賞部に入球すると、所定数の遊技球が賞球として上皿に払い出されると共に、液晶表示装置１２では、入球に応じて所定の表示演出が行われる。
【００６４】
液晶表示装置１２では、入賞部への入球を契機にして行われる通常の表示演出とは別に、特殊表示演出が行われることがある。特殊表示演出では、遊技ハンドル２０の回転操作によって、演出内容を遊技者自身で任意に変更することができる。即ち、第１回動範囲Ｘ１内に位置している遊技ハンドル２０を回転操作して、第２回動範囲Ｘ２内の正側検出位置又は負側検出位置に到達させると、回転検出センサ４８が遊技ハンドル２０に対する回転操作を検出し、これを契機として、特殊表示演出の演出内容が変更される。
【００６５】
ここで、遊技ハンドル２０は、第２回動範囲Ｘ２に進入すると、ねじりコイルバネ５０から第１回動範囲Ｘ１に押し戻す方向の付勢力を受けるので、正側検出位置又は負側検出位置に到達させるには、ねじりコイルバネ５０の付勢力を上回る力で遊技ハンドル２０を回転操作する必要がある。そして、遊技ハンドル２０を第２回動範囲Ｘ２まで回転操作した状態で、力を緩めたり、遊技ハンドル２０から手を離すと、遊技ハンドル２０は、ねじりコイルバネ５０の付勢力によって自動的に第１回動範囲Ｘ１に戻される。
【００６６】
ところで、特殊表示演出中は、バーグリップ２１が振動することがある。バーグリップ２１を把持しているときにバーグリップ２１が振動することで、遊技者に遊技ハンドル２０の操作を喚起させたり、特殊表示演出の趣向性を高めることができる。
【００６７】
バーグリップ２１の振動は、遊技者がバーグリップ２１を把持しているか否かに拘わらず行われるので、バーグリップ２１から手が離れている非操作時に、バーグリップ２１が振動する場合がある。ここで、本発明を適用しなかった場合には、非操作時のバーグリップ２１の振動によって遊技ハンドル２０が回転移動して正側検出位置又は負側検出位置に到達し、遊技者の意図に反して特殊表示演出の演出内容が勝手に変更されてしまう虞がある。
【００６８】
これに対し、本実施形態のパチンコ遊技機１０では、遊技ハンドル２０から手を離した状態でバーグリップ２１が振動した場合に、遊技ハンドル２０が第１回動範囲Ｘ１から第２回動範囲Ｘ２に進入することが禁止されている。詳細には、遊技ハンドル２０から手を離した状態でバーグリップ２１が振動した場合、遊技ハンドル２０が、第１回動範囲Ｘ１内で移動する可能性はある。しかしながら、遊技ハンドル２０が、第１回動範囲Ｘ１と第２回動範囲Ｘ２の境界位置に到達すると、バネ当接ピン３２がねじりコイルバネ５０のバネ端末部５２に当接する。ねじりコイルバネ５０は、常に、遊技ハンドル２０の回転軸（コイル部５１の中心軸）回りのねじりモーメントを受けた状態となっており、遊技ハンドル２０が第２回動範囲Ｘ２に進入したときに、ねじりモーメントによって遊技ハンドル２０を第１回動範囲Ｘ１に押し戻すように付勢する。そして、この付勢力は、遊技ハンドル２０が振動により第１可動範囲Ｘ１から第２可動範囲Ｘ２に進入しない程度の大きさになっている。換言すれば、振動モータ２４の振動だけでは、ねじりコイルバネ５０の付勢力を上回る回転力を発生させることは不可能となっている。従って、遊技ハンドル２０が、振動によって勝手に第２回動範囲Ｘ２に進入して、正側検出位置又は負側検出位置に至ることを防ぐことができる。つまり、遊技者の意図に反して特殊表示演出の演出内容（遊技状態）が勝手に変更されることを防止することができ、趣向性の低下を抑えることができる。
【００６９】
［参考例］
図１５には、本発明の参考例に係るハンドルアッシ９０の背面図が示されている。本参考例は、遊技ハンドル２０を第１回動範囲Ｘ１内の回動原点位置（「第１移動原点位置」とする）に付勢する「第１原点付勢手段」を備えている点、第２回動範囲Ｘ２が第１回動範囲Ｘ１の一端側だけに設けられており、これに伴い、回転検出センサ４８が１つだけになっている点が、上記第１実施形態とは異なる。その他の構成は、上記第１実施形態と同一であるので、同一部位には同一符号を付すことで、重複した説明は省略する。
【００７０】
図１５に示すように、ストッパ用円弧孔４２Ｃ及びセンサ用円弧孔４２Ｄは、上記第１実施形態のものよりも短くなっており、ストッパ用円弧孔４２Ｃによって規定される遊技ハンドル２０の全回動範囲のうち、中間部より一端側の範囲が第１可動範囲Ｘ１となっており、中間部より他端側の範囲が第２回動範囲Ｘ２となっている。
【００７１】
図１５に示すように、ばね係止突壁４９にはばね固定壁９１が一体に設けられている。ばね固定壁９１は、ばね係止突壁４９の一側部から下方に張り出しており、ばね当接ピン３２に側方から対向している。ばね当接ピン３２とばね固定壁９１との間は、「第１原点付勢手段」としての引張コイルバネ９２によって連結されており、ねじりコイルバネ５０と引張コイルバネ９２とが協働して、非操作時の遊技ハンドル２０を、第１回動範囲Ｘ１内（詳細には、第１回動範囲Ｘ１のほぼ中央）の回動原点位置（図１５に示す位置）で静止させるように付勢している。
【００７２】
引張コイルバネ９２の付勢力は、遊技者が手を離した非操作時に、振動モータ２４による遊技ハンドル２０の振動を許容する程度の大きさとなっている。これに対し、ねじりコイルバネ５０の付勢力は、引張コイルバネ９２の付勢力よりも大きくなっており、非操作時の遊技ハンドル２０の振動によって、遊技ハンドル２０が第１回動範囲Ｘ１から第２回動範囲Ｘ２に進入しない程度の大きさとなっている。従って、遊技ハンドル２０は、第１回動範囲Ｘ１内では、引張コイルバネ９２の付勢力に抗して移動し、第２回転範囲Ｘ２内では、引張コイルバネ９２とねじりコイルバネ５０の付勢力とに抗して移動することになる（図１６（Ｂ）参照）。また、第１回動範囲Ｘ１内に位置する遊技ハンドル２０が、非操作の状態で振動した場合、遊技ハンドル２０は、最大でもばね当接ピン３２がバネ端末部５２に当接した位置（図１６（Ａ）参照）、即ち、第１回動範囲Ｘ１と第２回動範囲Ｘ２との境界位置までしか回転が許容されず、第１回動範囲Ｘ１内でのみ振動する（振動だけでは第２回動範囲Ｘ２に進入しない）ように構成されている。本参考例の構成によっても、上記第１実施形態と同等の効果を奏する。
【００７３】
本参考例の構成を纏めると以下のようになる。即ち、第１可動範囲と、前記第１可動範囲より外側の第２可動範囲とに亘って移動操作可能な移動操作体と、前記移動操作体を操作して前記第１可動範囲から前記第２可動範囲に進入したときにその移動操作体を前記第１可動範囲に戻すように付勢し、非操作時の前記移動操作体を前記第１可動範囲内に位置させる操作復帰付勢手段と、前記移動操作体を前記第１可動範囲内の第１移動原点位置に付勢する第１原点付勢手段と、前記第２可動範囲内の検出位置に配置され、遊技状態を変化させる契機として前記移動操作体が前記検出位置に到達したことを検出する操作検出手段と、少なくとも前記第１可動範囲内の前記移動操作体に振動を付与する振動付与手段とを備え、前記第１原点付勢手段の付勢力を、前記振動付与手段の振動による前記非操作時の前記移動操作体の振動を前記第１可動範囲内で許容する大きさとする一方、前記操作復帰付勢手段の付勢力を、前記第１可動範囲と前記第２可動範囲の境目では前記第１原点付勢手段の付勢力よりも大きくして、前記非操作時の前記移動操作体が、前記振動付与手段による振動によって前記第１可動範囲から前記第２可動範囲に進入しない大きさとし、前記移動操作体を操作することによって前記第２可動範囲内に進入するときには前記操作復帰付勢手段の付勢力が前記第１原点付勢手段の付勢力よりも小さくなり、前記第２可動範囲内にて非操作状態にしたときには前記第１原点付勢手段の付勢力よりも大きくなることで前記第２可動範囲から前記第１可動範囲に進入する構成である。
【００７４】
この構成により、非操作時の移動操作体は、操作復帰付勢手段と第１原点付勢手段とによって第１可動範囲内の第１移動原点位置に留められており、遊技者が移動操作体を操作すると、それら操作復帰付勢手段と第１原点付勢手段の付勢力に抗して、移動操作体が第１可動範囲から第２可動範囲へと進入する。また、第１可動範囲内に位置する移動操作体は、振動付与手段の振動により、第１原点付勢手段の付勢力に抗して第１可動範囲内で振動する。このとき、操作復帰付勢手段の付勢力は、非操作時の移動操作体が振動により第１可動範囲から第２可動範囲に移動しない程度の大きさになっているから、第１可動範囲内の移動操作体が、振動によって勝手に第２可動範囲に進入して検出位置に到達することを抑制することができる。これにより、遊技者の意図しない遊技状態の変化を抑制することができ、趣向性の低下を抑えることができる。また、移動操作体を操作することにより、第２可動範囲に進入して非操作状態にした場合には、第２可動範囲から第１可動範囲に進入する、即ち、戻すことが可能であり、常時、非操作状態にした場合に、検出手段が検出し続けることを抑制することが可能である。
【００７５】
［第２実施形態］
図１７には、本発明の第２実施形態の要部が示されている。上記第１実施形態では、ねじりコイルバネ５０を、本発明に係る「操作復帰付勢手段」として備えていたが、本実施形態では、圧縮コイルバネ９４を、本発明に係る「操作復帰付勢手段」として備えている。
【００７６】
詳細には、直動カップ４１の底壁４２の後面には、ピン貫通円弧孔４２Ｂに沿って円弧状に延びた筒状のバネ受容ガイド９３が設けられており、そのバネ受容ガイド９３内に、圧縮コイルバネ９４と、バネ受容ガイド９３の延在方向で往復動可能な可動盤９５とが収容されている。圧縮コイルバネ９４はバネ受容ガイド９３の奥壁９３Ａと可動盤９５との間で、常時、突っ張り状態となっており、遊技者が遊技ハンドル２０から手を離した非操作時には、圧縮コイルバネ９４の付勢力によって可動盤９５の縁部がバネ受容ガイド９３の開口縁９３Ｂに押し付けられて位置決めされている。その他の構成は、上記第１実施形態と同一であるので、重複した説明は省略する。
【００７７】
例えば、第１回動範囲Ｘ１に位置する遊技ハンドル２０が、時計回り方向に回転して、第１回動範囲Ｘ１と正側の第２回動範囲Ｘ２との境界位置（図２の実線で示した位置）に到達したとき、バネ当接ピン３２が、図１７における左側の可動盤９５と当接する。ここから、さらに時計回り方向に回転して、正側の第２回動範囲Ｘ２に進入すると、可動盤９５がバネ当接ピン３２に押されて圧縮コイルバネ９４が圧縮され、遊技ハンドル２０が圧縮コイルバネ９４によって第１回動範囲Ｘ１に押し戻す方向に付勢される。第１回動範囲Ｘ１に位置する遊技ハンドル２０が、反時計回り方向に回転した場合も同様である。つまり、遊技ハンドル２０は、圧縮コイルバネ９４によって非操作時に第１回動範囲Ｘ１内に位置するように付勢されている。
【００７８】
また、バネ当接ピン３２から力を受けていない状態の圧縮コイルバネ９４の弾発力は、非操作時の遊技ハンドル２０が、振動モータ２４による振動によって第１可動範囲Ｘ１から第２可動範囲Ｘ２に進入しない程度の大きさとなっている。つまり、非操作の状態で遊技ハンドル２０が振動した場合、遊技ハンドル２０は、最大でも、バネ当接ピン３２が可動盤９５と当接する位置、即ち、第１回動範囲Ｘ１と第２回動範囲Ｘ２との境界位置までしか回動することはなく、遊技ハンドル２０が振動だけで第２回動範囲Ｘ２に進入することは禁止されている。このように、本実施形態によっても、上記第１実施形態と同等の効果を奏する。
【００７９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８０】
（１）上記実施形態では、パチンコ遊技機１０に、本発明を適用していたが、スロットマシンや、アレンジボール等に本発明を適用してもよい。
【００８１】
（２）上記実施形態では、発射操作ノブ１５とは別に設けた遊技ハンドル２０に本発明を適用していたが、発射操作ノブ１５に本発明を適用してもよい。また、本実施形態の遊技ハンドル２０以外に、既存のパチンコ遊技機に備えられた移動操作部に、本発明を適用してもよい。
【００８２】
（３）上記実施形態では、遊技ハンドル２０の回転操作と、その回転軸方向への直動操作とが可能で、回転操作方向に、本発明の「第１可動範囲」に相当する第１回動範囲Ｘ１と、「第２可動範囲」に相当する第２回動範囲Ｘ２とを設けていたが、直動操作方向に、本発明に係る「第１可動範囲」と「第２可動範囲」とを設けてもよい。
【００８３】
（４）上記第１及び第２実施形態では、第１回動範囲Ｘ１を挟んだ両側に第２回動範囲Ｘ２を設けていたが、参考例のように、第１回動範囲Ｘ１の一端部側だけに第２回動範囲Ｘ２を設けてもよい。
【００８４】
（５）上記実施形態では、遊技ハンドル２０の回転操作と、その回転軸方向への直動操作とが可能となっていたが、回転操作又は直動動作の何れか一方だけを可能として、その移動可能方向に、本発明に係る「第１可動範囲」と「第２可動範囲」とを設けてもよい。
【００８５】
（６）上記実施形態では、「移動操作部」としての操作ハンドル２０が、回転操作と、その回転軸方向への直動操作とが可能となっていたが、移動操作部を互いに直交する２方向又は３方向に直動操作可能として、何れかの直動操作方向に、本発明に係る「第１可動範囲」と「第２可動範囲」とを設けた構成にしてもよい。
【００８６】
（７）上記実施形態では、固定支持ベース７０における前面装飾リング８０の後面に、振動を吸収する緩衝材８２が配置されていたが、固定支持ベース７０における円形周囲壁７２の前端面に振動を吸収する緩衝材を配置してもよい。
【００８７】
（８）上記実施形態では、本発明の「振動付与手段」の一例として振動モータ２４を例示したが、「振動付与手段」は、モータ以外のアクチュエータ（例えば、圧電素子等）によって振動を発生させるものでもよい。
【００８８】
（９）上記参考例では、「第１原点付勢手段」として、引張コイルバネ９２を例示したが、引張コイルバネ以外の付勢手段であってもよい。例えば、遊技ハンドル２０の周方向の一部に配置したウェイト（錘）の自重によって、遊技ハンドル２０を第１回動範囲Ｘ１内の回動原点位置に付勢する構成にしてもよい。このようにすれば、上記第１及び第２実施形態のように、第１回動範囲Ｘ１を挟んだ両側に第２回動範囲Ｘ２を設けることが可能になる。
【００８９】
なお、前記第１〜第２実施形態、参考例及び他の実施形態（１）〜（９）を概念化すると、以下の［１］〜［７］の発明となる。
【００９０】
［１］第１可動範囲と、前記第１可動範囲より外側の第２可動範囲とに亘って移動操作可能な移動操作体と、
前記移動操作体を操作して前記第１可動範囲から前記第２可動範囲に進入したときにその移動操作体を前記第１可動範囲に戻すように付勢し、非操作時の前記移動操作体を前記第１可動範囲内に位置させる操作復帰付勢手段と、
前記第２可動範囲内の検出位置に配置され、遊技状態を変化させる契機として前記移動操作体が前記検出位置に到達したことを検出する操作検出手段と、
少なくとも前記第１可動範囲内の前記移動操作体に振動を付与する振動付与手段とを備え、
前記振動付与手段の振動による前記非操作時の前記移動操作体の振幅を、前記第１可動範囲内の大きさとしたことを特徴とする遊技機。
【００９１】
［１］に係る遊技機によれば、非操作時の移動操作体は、操作復帰付勢手段によって第１可動範囲内に留められ、操作復帰付勢手段の付勢力は、非操作時の移動操作体が振動によって第１可動範囲から第２可動範囲に移動しない程度の大きさになっているから、第１可動範囲内の移動操作体が、振動によって勝手に第２可動範囲に進入して検出位置に到達することを抑制することができる。これにより、遊技者の意図しない遊技状態の変化を抑制することができ、趣向性の低下を抑えることができる。
【００９２】
［２］第１可動範囲と、前記第１可動範囲より外側の第２可動範囲とに亘って移動操作可能な移動操作体と、
前記移動操作体を操作して前記第１可動範囲から前記第２可動範囲に進入したときにその移動操作体を前記第１可動範囲に戻すように付勢し、非操作時の前記移動操作体を前記第１可動範囲内に位置させる操作復帰付勢手段と、
前記移動操作体を前記第１可動範囲内の第１移動原点位置に付勢する第１原点付勢手段と、
前記第２可動範囲内の検出位置に配置され、遊技状態を変化させる契機として前記移動操作体が前記検出位置に到達したことを検出する操作検出手段と、
少なくとも前記第１可動範囲内の前記移動操作体に振動を付与する振動付与手段とを備え、
前記第１原点付勢手段の付勢力を、前記振動付与手段の振動による前記非操作時の前記移動操作体の振動を許容する大きさとする一方、前記操作復帰付勢手段の付勢力を、前記第１原点付勢手段の付勢力よりも大きくして、前記非操作時の前記移動操作体が、前記振動付与手段による振動によって前記第１可動範囲から前記第２可動範囲に進入しない程度の大きさとしたことを特徴とする遊技機。
【００９３】
［２］の構成とした場合、非操作時の移動操作体は、操作復帰付勢手段と第１原点付勢手段とによって第１可動範囲内の第１移動原点位置に留められており、遊技者が移動操作体を操作すると、それら操作復帰付勢手段と第１原点付勢手段の付勢力に抗して、移動操作体が第１可動範囲から第２可動範囲へと進入する。また、第１可動範囲内に位置する移動操作体は、振動付与手段の振動により、第１原点付勢手段の付勢力に抗して第１可動範囲内で振動する。このとき、操作復帰付勢手段の付勢力は、非操作時の移動操作体が振動により第１可動範囲から第２可動範囲に移動しない程度の大きさになっているから、第１可動範囲内の移動操作体が、振動によって勝手に第２可動範囲に進入して検出位置に到達することを抑制することができる。これにより、遊技者の意図しない遊技状態の変化を抑制することができ、趣向性の低下を抑えることができる。
【００９４】
［３］前記第２可動範囲は、前記第１可動範囲を挟んだ両側に設けられ、
前記操作検出手段は、前記第２可動範囲のうち前記第１可動範囲の一端部より外側の第１検出位置と、前記第２可動範囲のうち前記第１可動範囲の他端部より外側の第２検出位置とに配置されたことを特徴とする［１］又は［２］に記載の遊技機。
【００９５】
［３］の構成にした場合、移動操作体は、第１可動範囲を挟んで両側に移動操作することができ、移動操作体の操作による遊技の趣向性が向上する。
【００９６】
［４］前記移動操作体を、前記第１及び第２の可動範囲内の移動方向である第１移動方向に移動可能に支持する第１支持ベースと、
前記第１支持ベースを前記第１移動方向と異なる第２移動方向に移動可能に支持する第２支持ベースと、
前記第１支持ベースを前記第２移動方向における第２移動原点位置に付勢する第２原点付勢手段と、
前記第２支持ベースと前記第１支持ベースとに設けられて、前記第１支持ベースを前記第２移動原点位置に位置決めする原点位置決め部と、
前記原点位置決め部に設けられて、前記移動操作体からの振動を前記第１支持ベースと前記第２支持ベースとの間で吸収するための緩衝材とを備えたことを特徴とする［１］乃至［３］の何れかに記載の遊技機。
【００９７】
［４］の構成にした場合、移動操作体は、第１移動方向と、第１移動方向とは異なる第２移動方向とに移動操作することができるから、移動操作体の操作による遊技の趣向性が向上する。また、非操作時の移動操作体は、第１移動方向における第１可動範囲に位置すると共に、第２原点付勢手段と原点位置決め部とによって第２移動方向における第２移動原点位置に停止位置決めされ、原点位置決め部には、移動操作体から伝搬した振動を、第１支持ベースと第２支持ベースとの間で吸収する緩衝材が設けられたから、第２支持ベースの外部への漏れ振動を低減することができる。
【００９８】
［５］前記移動操作体は、前記第１支持ベースに対して回動可能に支持される一方、
前記第１支持ベースは、前記第２支持ベースに対して、前記移動操作体の回転軸と平行な方向に直動可能に支持され、
前記操作復帰付勢手段は、前記移動操作体の回転軸回りに巻回されたコイル部を前記回転軸回りに捻った状態で、そのコイル部の両端部から側方に突出した１対のバネ端末部を前記第１支持ベースに係止してなるねじりコイルバネであり、
前記移動操作体には、前記１対のバネ端末部の間に配置されて、前記移動操作体が前記第１可動範囲から前記第２可動範囲に進入したときに、一方の前記バネ端末部と当接して前記ねじりコイルバネから付勢力を受けるバネ当接部が備えられたことを特徴とする［４］に記載の遊技機。
【００９９】
［５］の構成にした場合、移動操作体は、回転移動操作とその回転軸と平行な方向への直動操作とが可能となり、移動操作体の操作による遊技の趣向性を向上させることができる。また、移動操作体の回転軸回りにねじりモーメントを受けた状態のねじりコイルバネを、操作復帰付勢手段として備えており、移動操作体の回転移動によって移動操作体が第１可動範囲から第２可動範囲に進入すると、移動操作体に備えたバネ当接部がねじりコイルバネにおける一方のバネ端末部と当接してねじりモーメントを受ける。これにより、第２可動範囲に進入した移動操作体を第１可動範囲に戻すように付勢することができる。
【０１００】
［６］前記第１支持ベースと前記第２支持ベースとの何れか一方に設けられて前記移動操作体の回転軸と平行に延びた複数の直動ガイド軸部と、他方に形成されて前記直動ガイド軸部が直動可能かつ抜け止め状態で貫通した複数の直動ガイド孔と、前記直動ガイド軸部に挿通されて前記第２支持ベースと前記第１支持ベースとの間で突っ張り状態にされた前記第２原点付勢手段としての圧縮コイルバネとを備えたことを特徴とする［５］に記載の遊技機。
【０１０１】
［６］のの構成にした場合、直動ガイド軸部と直動ガイド孔とによって、第２支持ベースに対する第１支持ベースの直動が案内されるから、直動操作を円滑に行うことができる。また、直動ガイド軸部に挿通されて、第２支持ベースと第１支持ベースとの間で突っ張り状態にされた圧縮コイルバネによって、移動操作体とこれを支持した第１支持ベースとを、第２移動方向における第２移動原点位置に付勢することができる。
【０１０２】
［７］前記移動操作体は移動操作するときに把持可能なグリップ部を有し、そのグリップ部に、前記振動付与手段としての振動モータが内蔵されたことを特徴とする［１］乃至［６］の何れかに記載の遊技機。
【０１０３】
［７］の構成にした場合、グリップ部を把持した手で振動を体感することができる。
【符号の説明】
【０１０４】
１０    パチンコ遊技機（遊技機）
２０    遊技ハンドル（移動操作体）
２１    バーグリップ（グリップ部）
２４    振動モータ（振動付与手段）
３２    バネ当接ピン（バネ当接部）
４０    可動支持ベース（第１支持ベース）
４４    中間フランジ（原点位置決め部）
４６    直動ガイドピン（直動ガイド軸部）
４８    回転検出センサ（操作検出手段）
５０    ねじりコイルバネ（操作復帰付勢手段）
５１    コイル部
５２    バネ端末部
６３    圧縮コイルバネ（第２原点付勢手段）
７０    固定支持ベース（第２支持ベース）
７６    直動ガイド孔
８０    前面装飾リング（原点位置決め部）
８２    緩衝材
９２    引張コイルバネ（第１原点付勢手段）
９４    圧縮コイルバネ（操作復帰付勢手段）
Ｘ１    第１回動範囲（第１可動範囲）
Ｘ２    第２回動範囲（第２可動範囲）
【図１】
0006035610.tif 000002
【図２】
0006035610.tif 000003
【図３】
0006035610.tif 000004
【図４】
0006035610.tif 000005
【図５】
0006035610.tif 000006
【図６】
0006035610.tif 000007
【図７】
0006035610.tif 000008
【図８】
0006035610.tif 000009
【図９】
0006035610.tif 000010
【図１０】
0006035610.tif 000011
【図１１】
0006035610.tif 000012
【図１２】
0006035610.tif 000013
【図１３】
0006035610.tif 000014
【図１４】
0006035610.tif 000015
【図１５】
0006035610.tif 000016
【図１６】
0006035610.tif 000017
【図１７】
0006035610.tif 000018